(57)【要約】【課題】  広範な撮影範囲の状況を監視する際に、刻々と周辺の輝度が変化する場所でパノラマ画像を撮影した場合に、自然なパノラマ画像を生成する【解決手段】  監視装置３０は、ネットワーク２０を介して接続されたパン／チルトカメラ１０により撮影範囲全体を表すパノラマ画像を構成する各単位画像に撮影方向を順次合わせて撮像し、パノラマ画像作成モジュール３１により複数の単位画像を張り合わせてパノラマ画像を作成し、作成したパノラマ画像をパノラマ画像管理データベース３２に保存し、差異検出モジュール３４において差異検出を行う２枚のパノラマ画像を構成する単位画像毎の輝度の差分平均を輝度差分計算モジュール３３により算出し、算出された単位画像毎の輝度の差分平均と検出範囲における指定された色成分の信号レベルの差分平均との差を閾値と比較することにより差異検出を行い、差異検出結果表示モジュール３８により差異検出結果を画面表示する。【選択図】  図２
2005277582.tif 000002
【特許請求の範囲】
【請求項１】
撮影範囲全体を表すパノラマ画像を構成する各単位画像に撮影方向を順次合わせて撮像する撮像手段と、上記撮像手段により撮像された複数の単位画像を張り合わせてパノラマ画像を作成するパノラマ画像作成手段と、上記パノラマ画像作成手段により作成されたパノラマ画像を保存管理するパノラマ画像保存管理手段を備えるパノラマ撮像装置であって、
上記パノラマ画像保存管理手段に保存されたパノラマ画像について、パノラマ画像を構成する一の単位画像と、当該単位画像よりも先に撮像された同一撮影方向上の単位画像との間で信号レベルの差異を比較することにより、当該一の単位画像における画像位置毎に差異検出を行う差異検出手段と、
上記差異検出手段により差異検出を行う検出条件を指定する差異検出設定手段と、
上記差異検出手段により差異検出を行う２枚のパノラマ画像を構成する単位画像毎の輝度の差分平均を求める輝度の差分算出手段と、
上記差異検出手段による差異検出結果を画面表示する表示手段を備え、
上記差異検出手段は、上記差分算出手段により算出された単位画像毎の輝度の差分平均と上記差異検出設定手段により指定された検出範囲における指定された色成分の信号レベルの差分平均との差を閾値と比較することにより差異検出を行うことを特徴とするパノラマ撮像装置。
【請求項２】
上記差分算出手段は、さらに、パノラマ画像全体の輝度平均と上記パノラマ画像を構成する単位画像毎の輝度平均との差分を検出し、検出した差分を画素単位で各画素の信号値から引くことにより、輝度を補正したパノラマ画像を生成して出力することを特徴とする請求項１記載のパノラマ撮像装置。
【請求項３】
撮影範囲全体を表すパノラマ画像を構成する各単位画像に撮影方向を順次合わせて撮像し、撮像された複数の単位画像を張り合わせてパノラマ画像を作成し、作成したパノラマ画像を保存する撮像ステップと、
上記撮像ステップで作成して保存したパノラマ画像について、パノラマ画像を構成する一の単位画像と、当該単位画像よりも先に撮像された同一撮影方向上の単位画像との間で信号レベルの差異を比較することにより、当該一の単位画像における画像位置毎に差異検出を行う差異検出ステップとを有し、
上記差異検出ステップでは、差異検出を行う２枚のパノラマ画像を構成する単位画像毎の輝度の差分平均を算出し、算出された単位画像毎の輝度の差分平均と検出範囲における指定された色成分の信号レベルの差分平均との差を閾値と比較することにより差異検出を行い、差異検出結果を画面表示することを特徴とするパノラマ撮像方法。
【請求項４】
さらに、上記パノラマ画像全体の輝度平均と上記パノラマ画像を構成する単位画像毎の輝度平均との差分を検出し、検出した差分を画素単位で各画素の信号値から引くことにより、輝度を補正したパノラマ画像を生成して出力することを特徴とする請求項３記載のパノラマ撮像方法。
【請求項５】
撮影範囲全体を表すパノラマ画像を構成する各単位画像に撮影方向を順次合わせて撮像する撮像装置と、上記撮像装置からネットワークを介して送信されてくる複数の単位画像を張り合わせてパノラマ画像を作成するパノラマ画像作成手段と、上記パノラマ画像作成手段により作成されたパノラマ画像を保存管理するパノラマ画像保存管理手段と、上記ネットワークを介して上記撮像装置の撮影方向を指定する方向指定手段とを有する監視装置とからなる監視システムであって、
上記監視装置は、上記パノラマ画像保存管理手段に保存されたパノラマ画像について、パノラマ画像を構成する一の単位画像と、当該単位画像よりも先に撮像された同一撮影方向上の単位画像との間で信号レベルの差異を比較することにより、当該一の単位画像における画像位置毎に差異検出を行う差異検出手段と、上記差異検出手段により差異検出を行う検出範囲や信号などを指定する差異検出設定手段と、上記差異検出手段により差異検出を行う２枚のパノラマ画像を構成する単位画像毎の輝度の差分平均を求める輝度の差分算出手段と、上記差異検出手段による差異検出結果を画面表示する表示手段を備え、
上記差異検出手段は、上記差分算出手段により算出された単位画像毎の輝度の差分平均と検出範囲における指定された色成分の信号レベルの差分平均との差を閾値と比較することにより差異検出を行うことを特徴とする監視システム。
【請求項６】
上記差分算出手段は、さらに、パノラマ画像全体の輝度平均と上記パノラマ画像を構成する単位画像毎の輝度平均との差分を検出し、検出した差分を画素単位で各画素の信号値から引くことにより、輝度を補正したパノラマ画像を生成して出力することを特徴とする請求項５記載の監視システム。
【請求項７】
複数の単位画像を張り合わせて撮影範囲全体を表すパノラマ画像を作成するパノラマ撮像装置の制御プログラムであって、
パノラマ画像を構成する各単位画像に撮影方向を順次合わせて撮像し、撮像された複数の単位画像を張り合わせてパノラマ画像を作成し、作成したパノラマ画像を保存する撮像ステップと、
上記撮像ステップで作成して保存したパノラマ画像について、パノラマ画像を構成する一の単位画像と、当該単位画像よりも先に撮像された同一撮影方向上の単位画像との間で信号レベルの差異を比較することにより、当該一の単位画像における画像位置毎に差異検出を行う差異検出ステップとを有し、
上記差異検出ステップでは、差異検出を行う２枚のパノラマ画像を構成する単位画像毎の輝度の差分平均を算出し、算出された単位画像毎の輝度の差分平均と検出範囲における指定された色成分の信号レベルの差分平均との差を閾値と比較することにより差異検出を行い、差異検出結果を画面表示することを特徴とするコンピュータにより実行されるパノラマ撮像装置の制御プログラム。
【請求項８】
さらに、上記パノラマ画像全体の輝度平均と上記パノラマ画像を構成する単位画像毎の輝度平均との差分を検出し、検出した差分を画素単位で各画素の信号値から引くことにより、輝度を補正したパノラマ画像を生成して出力することを特徴とする請求項７記載のパノラマ撮像装置の制御プログラム。
【請求項９】
複数の単位画像を張り合わせて撮影範囲全体を表すパノラマ画像を作成するパノラマ撮像装置の制御プログラムをコンピュータにより読み取り実行可能に書き込まれたプログラム記録媒体であって、
上記制御プログラムは、パノラマ画像を構成する各単位画像に撮影方向を順次合わせて撮像し、撮像された複数の単位画像を張り合わせてパノラマ画像を作成し、作成したパノラマ画像を保存する撮像ステップと、上記撮像ステップで作成して保存したパノラマ画像について、パノラマ画像を構成する一の単位画像と、当該単位画像よりも先に撮像された同一撮影方向上の単位画像との間で信号レベルの差異を比較することにより、当該一の単位画像における画像位置毎に差異検出を行う差異検出ステップとを有し、上記差異検出ステップでは、差異検出を行う２枚のパノラマ画像を構成する単位画像毎の輝度の差分平均を算出し、算出された単位画像毎の輝度の差分平均と検出範囲における指定された色成分の信号レベルの差分平均との差を閾値と比較することにより差異検出を行い、差異検出結果を画面表示することを特徴とするプログラム記録媒体。
【請求項１０】
さらに、上記パノラマ画像全体の輝度平均と上記パノラマ画像を構成する単位画像毎の輝度平均との差分を検出し、検出した差分を画素単位で各画素の信号値から引くことにより、輝度を補正したパノラマ画像を生成して出力することを特徴とする請求項９記載のプログラム記録媒体。
【発明の詳細な説明】
【技術分野】
【０００１】
本発明は、撮影方向を順次変化させて撮像することにより得られたパノラマ画像を介して広範囲の状況を監視するためのパノラマ撮像装置、パノラマ撮像方法、監視システム、パノラマ撮像装置の制御プログラム並びにプログラム記録媒体に関する。
【背景技術】
【０００２】
従来より広く用いられている電子スチルカメラは、被写体を撮像することでレンズを通過した光を、ＣＣＤ等の固体撮像素子により画像信号に変換し、これを記録媒体に記録し、また記録した画像信号を再生することができる。また電子スチルカメラの多くは、撮像した静止画像を表示することができるモニタを備え、これまでに記録した静止画像のうち特定のものを選択して表示することができる。この電子スチルカメラにおいて、モニタに供給される画像信号は、一画面毎の被写体に対応するものである。このため、同時に表示される画像は狭い範囲のものとなり、広範囲の状況を同時に監視することができなかった。
【０００３】
このため、カメラの撮影方向を順にシフトさせながら被写体を撮像することにより、複数の単位画像から構成されるパノラマ状の全体画像を得ることにより、広範囲の状況を監視することができる監視カメラが普及している。特に、近年において、複数の映像信号を縮小／合成し、１フレームの映像信号とする技術も提案され（例えば、特許文献１参照。）、また設置された複数の監視用ビデオカメラから監視映像を集めてビデオテープ等の記録媒体に記録することにより、監視の実現を可能とする集中監視記録システムも提案されている（例えば、特許文献２参照。）。
【０００４】
従来の監視カメラにより、例えば図１７に示すような撮影範囲内を所定の撮影画角で撮像する場合には、撮影方向を水平方向又は垂直方向へ順にシフトさせて撮像する必要がある。仮に撮影範囲のサイズを、上記所定の撮影画角により撮像することにより得られるフレーム（以下、単位画像という。）のサイズのｓ×ｔ倍で表せるときには、少なくともｓ×ｔ通りの撮影方向を設定する必要がある。
【０００５】
実際には、監視カメラの撮影方向を、先ず左上に位置する座標（１，１）に合わせて撮像を実行する。次に、この監視カメラの撮影方向を座標（２，１）、（３，１）、（４，１）・・（ｓ，１）と水平方向へ順次変更させて撮像を実行する。１列目の撮像を終了させた後、撮影方向を２列目の座標（１，２）に調整して撮像を実行し、その後、水平方向へ順次シフトさせながら撮像を実行する。かかる動作を繰り返して座標（ｓ，ｔ）まで撮像を実行した後、このｓ×ｔ個の単位画像を貼り合わせることにより撮影範囲全体を表した全体画像を合成することができる。
【０００６】
【特許文献１】特開平１０−１０８１６３号公報
【特許文献２】特開２０００−２４３０６２号公報
【発明の開示】
【発明が解決しようとする課題】
【０００７】
しかしながら、従来の如き監視カメラは、一枚の全体画像を生成するために、これを構成する全てのｓ×ｔ個の単位画像を撮像する必要があり、パノラマ画像を構成する１枚１枚の画像には微妙な時差が生じ輝度が１枚１枚異なるため、２枚のパノラマ画像(特に刻々と周辺の輝度が変化する場所で撮影した画像)の輝度以外の純粋な差異を正確に検出することが出来なかった。
【０００８】
映画館内や夜間の道路状況など刻々と周辺の輝度が変化する場所でパノラマ画像を撮影した場合に、パノラマ画像を構成する１枚１枚の輝度の違いが要因となり画像のつなぎ目の目立つ不自然なパノラマ画像しか撮影できなかった。
【０００９】
そこで本発明は、上述した従来の問題点に鑑みて案出されたものであり、その目的とするところは、広範な撮影範囲の状況を監視するために撮影範囲全体を表す全体画像を構成する各単位画像を撮像する撮像装置及び方法、監視システム、プログラム並びに記録媒体において、刻々と周辺の輝度が変化する場所でパノラマ画像を撮影した場合に、自然なパノラマ画像を生成することができるパノラマ撮像装置、監視システム、パノラマ撮像装置の制御方法及び制御プログラム並びにプログラム記録媒体を提供することにある。
【００１０】
本発明の更に他の目的、本発明によって得られる具体的な利点は、以下に説明される実施の形態の説明から一層明らかにされる。
【課題を解決するための手段】
【００１１】
本発明は、撮影範囲全体を表すパノラマ画像を構成する各単位画像に撮影方向を順次合わせて撮像する撮像手段と、上記撮像手段により撮像された複数の単位画像を張り合わせてパノラマ画像を作成するパノラマ画像作成手段と、上記パノラマ画像作成手段により作成されたパノラマ画像を保存管理するパノラマ画像保存管理手段を備えるパノラマ撮像装置であって、上記パノラマ画像保存管理手段に保存されたパノラマ画像について、パノラマ画像を構成する一の単位画像と、当該単位画像よりも先に撮像された同一撮影方向上の単位画像との間で信号レベルの差異を比較することにより、当該一の単位画像における画像位置毎に差異検出を行う差異検出手段と、上記差異検出手段により差異検出を行う検出条件を指定する差異検出設定手段と、上記差異検出手段により差異検出を行う２枚のパノラマ画像を構成する単位画像毎の輝度の差分平均を求める輝度の差分算出手段と、上記差異検出手段による差異検出結果を画面表示する表示手段を備え、上記差異検出手段は、上記差分算出手段により算出された単位画像毎の輝度の差分平均と上記差異検出設定手段により指定された検出範囲における指定された色成分の信号レベルの差分平均との差を閾値と比較することにより差異検出を行うことを特徴とする。
【００１２】
本発明に係るパノラマ撮像装置において、上記差分算出手段は、さらに、パノラマ画像全体の輝度平均と上記パノラマ画像を構成する単位画像毎の輝度平均との差分を検出し、検出した差分を画素単位で各画素の信号値から引くことにより、輝度を補正したパノラマ画像を生成して出力する。
【００１３】
本発明に係るパノラマ撮像方法は、撮影範囲全体を表すパノラマ画像を構成する各単位画像に撮影方向を順次合わせて撮像し、撮像された複数の単位画像を張り合わせてパノラマ画像を作成し、作成したパノラマ画像を保存する撮像ステップと、上記撮像ステップで作成して保存したパノラマ画像について、パノラマ画像を構成する一の単位画像と、当該単位画像よりも先に撮像された同一撮影方向上の単位画像との間で信号レベルの差異を比較することにより、当該一の単位画像における画像位置毎に差異検出を行う差異検出ステップとを有し、上記差異検出ステップでは、差異検出を行う２枚のパノラマ画像を構成する単位画像毎の輝度の差分平均を算出し、算出された単位画像毎の輝度の差分平均と検出範囲における指定された色成分の信号レベルの差分平均との差を閾値と比較することにより差異検出を行い、差異検出結果を画面表示することを特徴とする。
【００１４】
本発明に係るパノラマ撮像方法では、さらに、上記パノラマ画像全体の輝度平均と上記パノラマ画像を構成する単位画像毎の輝度平均との差分を検出し、検出した差分を画素単位で各画素の信号値から引くことにより、輝度を補正したパノラマ画像を生成して出力する。
【００１５】
また、本発明は、撮影範囲全体を表すパノラマ画像を構成する各単位画像に撮影方向を順次合わせて撮像する撮像装置と、上記撮像装置からネットワークを介して送信されてくる複数の単位画像を張り合わせてパノラマ画像を作成するパノラマ画像作成手段と、上記パノラマ画像作成手段により作成されたパノラマ画像を保存管理するパノラマ画像保存管理手段と、上記ネットワークを介して上記撮像装置の撮影方向を指定する方向指定手段とを有する監視装置とからなる監視システムであって、上記監視装置は、上記パノラマ画像保存管理手段に保存されたパノラマ画像について、パノラマ画像を構成する一の単位画像と、当該単位画像よりも先に撮像された同一撮影方向上の単位画像との間で信号レベルの差異を比較することにより、当該一の単位画像における画像位置毎に差異検出を行う差異検出手段と、上記差異検出手段により差異検出を行う検出範囲や信号などを指定する差異検出設定手段と、上記差異検出手段により差異検出を行う２枚のパノラマ画像を構成する単位画像毎の輝度の差分平均を求める輝度の差分算出手段と、上記差異検出手段による差異検出結果を画面表示する表示手段を備え、上記差異検出手段は、上記差分算出手段により算出された単位画像毎の輝度の差分平均と検出範囲における指定された色成分の信号レベルの差分平均との差を閾値と比較することにより差異検出を行うことを特徴とする。
【００１６】
本発明に係る監視システムにおいて、上記差分算出手段は、さらに、パノラマ画像全体の輝度平均と上記パノラマ画像を構成する単位画像毎の輝度平均との差分を検出し、検出した差分を画素単位で各画素の信号値から引くことにより、輝度を補正したパノラマ画像を生成して出力する。
【００１７】
また、本発明は、複数の単位画像を張り合わせて撮影範囲全体を表すパノラマ画像を作成するパノラマ撮像装置の制御プログラムであって、パノラマ画像を構成する各単位画像に撮影方向を順次合わせて撮像し、撮像された複数の単位画像を張り合わせてパノラマ画像を作成し、作成したパノラマ画像を保存する撮像ステップと、上記撮像ステップで作成して保存したパノラマ画像について、パノラマ画像を構成する一の単位画像と、当該単位画像よりも先に撮像された同一撮影方向上の単位画像との間で信号レベルの差異を比較することにより、当該一の単位画像における画像位置毎に差異検出を行う差異検出ステップとを有し、上記差異検出ステップでは、差異検出を行う２枚のパノラマ画像を構成する単位画像毎の輝度の差分平均を算出し、算出された単位画像毎の輝度の差分平均と検出範囲における指定された色成分の信号レベルの差分平均との差を閾値と比較することにより差異検出を行い、差異検出結果を画面表示することを特徴とする。
【００１８】
本発明に係るパノラマ撮像装置の制御プログラムでは、さらに、上記パノラマ画像全体の輝度平均と上記パノラマ画像を構成する単位画像毎の輝度平均との差分を検出し、検出した差分を画素単位で各画素の信号値から引くことにより、輝度を補正したパノラマ画像を生成して出力する。
【００１９】
さらに、本発明は、複数の単位画像を張り合わせて撮影範囲全体を表すパノラマ画像を作成するパノラマ撮像装置の制御プログラムをコンピュータにより読み取り実行可能に書き込まれたプログラム記録媒体であって、上記制御プログラムは、パノラマ画像を構成する各単位画像に撮影方向を順次合わせて撮像し、撮像された複数の単位画像を張り合わせてパノラマ画像を作成し、作成したパノラマ画像を保存する撮像ステップと、上記撮像ステップで作成して保存したパノラマ画像について、パノラマ画像を構成する一の単位画像と、当該単位画像よりも先に撮像された同一撮影方向上の単位画像との間で信号レベルの差異を比較することにより、当該一の単位画像における画像位置毎に差異検出を行う差異検出ステップとを有し、上記差異検出ステップでは、差異検出を行う２枚のパノラマ画像を構成する単位画像毎の輝度の差分平均を算出し、算出された単位画像毎の輝度の差分平均と検出範囲における指定された色成分の信号レベルの差分平均との差を閾値と比較することにより差異検出を行い、差異検出結果を画面表示することを特徴とする。
【００２０】
本発明に係るプログラム記録媒体では、さらに、上記パノラマ画像全体の輝度平均と上記パノラマ画像を構成する単位画像毎の輝度平均との差分を検出し、検出した差分を画素単位で各画素の信号値から引くことにより、輝度を補正したパノラマ画像を生成して出力する。
【発明の効果】
【００２１】
本発明によれば、パン／チルトカメラを用いて撮影した画像からパノラマ画像を合成する際に、映画館や劇場などそのパノラマ画像を構成する１枚１枚が撮影場所の周辺の輝度変化の影響を受ける場合であっても、撮影時間の違う２枚の画像の輝度の違いを考慮して画像比較をすることができる。また、差異検出領域の縦横分割数と検出閾値を変更できるので、検出領域、検出物の大きさに応じて設定を変更し、より自由度の高い差異検出のための設定を行うことができる。そして、各ドットにおける比較ではなく、一定領域の平均を比較しているため、ノイズが多く発生する暗闇での撮影などでも差異検出を正確に行うことができる。さらに、パノラマ画像を構成する１枚１枚の画像の輝度を調整することによって、輝度変化の影響を目立たないように補正することができ、パン／チルトカメラを用いて撮影した画像をそのまま用いて合成したパノラマ画像よりも、自然なパノラマ画像を生成することができる。
【発明を実施するための最良の形態】
【００２２】
以下、本発明の実施の形態について、図面を参照しながら詳細に説明する。なお、本発明は以下の例に限定されるものではなく、本発明の要旨を逸脱しない範囲で、任意に変更可能であることは言うまでもない。
【００２３】
本発明は、例えば図１示すような構成の監視システム１に適用される。
【００２４】
この監視システム１００は、被写体を撮像して画像信号を生成するパン／チルトカメラ１０と、このパン／チルトカメラ１０に接続されたネットワーク２０と、接続されたネットワーク２０を介してパン／チルトカメラ１０を制御し、又、パン／チルトカメラ１０から画像信号を取得する監視装置３０とを備えている。
【００２５】
パン／チルトカメラ１０は、パンチルタ部１１とカメラ部１２が一体的に構成されてなる。パンチルタ部１１は、例えばパン、チルトの２軸につき撮影方向を自在に変更するための回転台として構成される。カメラ部１２、パンチルタ部１１を構成する回転台に配設され、監視装置３０に基づく制御の下、撮影方向を水平方向或いは垂直方向に調整しつつ、被写体を撮像する。また、このカメラ部１２は、監視装置３０による制御に応じて、撮影画角を順次変更することにより、撮影倍率を拡大又は縮小して、被写体を撮像する。
【００２６】
このパン／チルトカメラ１０は、撮影範囲全体を表すパノラマ画像を構成する各単位画像に撮影方向を順次合わせて撮像を実行する。かかる単位画像を画像信号としてネットワーク２０を介して監視装置３０側へ送信することにより、単位画像を貼り合わせた撮影範囲全体を表した全体画像を合成することができる。
【００２７】
監視装置３０は、パーソナルコンピュータ（ＰＣ）等により構成され、パン／チルトカメラ１０からネットワーク２０を介して送信される画像信号を記録メディアへ記録し、また記録メディアへ記録した画像信号に基づく各画像をユーザに表示する。また、この監視装置３０は、パン／チルトカメラ１０から伝送される画像信号につき輝度成分を識別することにより動きの有無を判別し、当該判別結果に応じてパン／チルトカメラ１０の撮像動作のモードを切り替えるように制御する。更に、この監視装置３０は、このネットワーク２０全体を制御するためのいわゆる中央制御装置としての役割も担い、図示しない他の端末装置からの要求に応じて、画像や音声を送信する。
【００２８】
ネットワーク２０は、例えば監視装置３０と電話回線を介して接続されるインターネット網を始め、ＴＡ／モデムと接続されるＩＳＤＮ（Integrated Services Digital Network）／Ｂ（broadband）−ＩＳＤＮ等のように、情報の双方向送受信を可能とした通信網である。ちなみにこの監視システム１を、一定の狭いエリア内で運用する場合には、このネットワーク８を、ＬＡＮ（Local Area Network）で構成してもよいし、またＩＥＥＥ１３９４インターフェース等を介して接続するようにしてもよい。さらにこのネットワーク８は、静止画像に加えて動画像をも送信できるようにしてもよい。かかる場合には、インターネットプロトコル（ＩＰ）に基づき、例えばＭＰＥＧ（Moving Picture Experts Group）データを始めとする動画像がある一つのチャネルから継続的に送信され、静止画像データは別のチャネルから一定時間毎に送信されることになる。なお、このネットワーク８には、さらに図示しないネットワークサーバを接続してもよい。この図示しないネットワークサーバは、例えばインターネット情報を管理し、端末装置による要求を受けて、自身に格納してある所定の情報を送信する。
【００２９】
次に、本発明を適用した監視システム１００におけるパン／チルトカメラ１０並びに監視装置３０の構成について、図２を参照して詳細に説明する。
【００３０】
パン／チルトカメラ１０を構成するパンチルタ部１１は、撮影方向を変更するための回転台を制御するTilt部並びにPan部より構成される。このパンチルタ部１１には、接続された方位センサ１３からカメラ部１２の位置と角度に関する情報が与えられる。また、パン／チルトカメラ１０を構成するカメラ部１２は、主としてレンズ部１４の画角を変更するためのレンズ制御部１５と、レンズ部１４の光軸に直交する位置に配設される撮像部１６とを備えている。
【００３１】
このパン／チルトカメラ１０において、パンチルタ部１１は、監視装置３０からの駆動制御信号に基づき、回転台の駆動源として構成されているステッピングモータを回転させる。これにより回転台自体を水平方向、或いは垂直方向へ旋回させることができるため、回転台に設けられているカメラ部１２の撮影方向を水平方向、或いは垂直方向へ旋回させることができる。また、レンズ制御部１５は、監視装置３０からの駆動制御信号に基づき、レンズ部１４に対して自動絞り制御動作や自動焦点制御動作を実行する。また、このレンズ制御部１５は、かかる駆動制御信号に基づき、被写体に対する撮影画角を変更する。これにより、カメラ部１２は、撮影倍率を順次調整して被写体を撮像することも可能となる。さらに、撮像部１６は、例えばＣＣＤ（Charge Coupled Device ）等の固体撮像素子により構成され、レンズ部１４を介して入射される被写体像を撮像面上に結像させ、光電変換により画像信号を生成する。この撮像部１４は、生成した画像信号を監視装置３０へ送信する。
【００３２】
監視装置３０は、ネットワーク２０を介して広範囲な撮影をパン／チルトカメラ１０に要求し、パン／チルトカメラ１０から送信される画像信号に基づいてパノラマ画像を作成するパノラマ画像作成モジュール３１と、このパノラマ画像作成モジュール３１で作成したパノラマ画像を蓄積し管理するパノラマ画像管理データベース３２と、２枚のパノラマ画像においてそれぞれを構成する画像１枚１枚の輝度の差を計算する輝度差分計算モジュール３３と、２枚の画像の差異を検出する差異検出モジュール３４と、この差異検出モジュール３４で２枚の画像の差異を検出する際の閾値、範囲を設定するための差異検出設定モジュール３５と、上記差異検出設定モジュール３５による設定値を格納する差異検出設定値データベース３６と、上記差異検出モジュール３４で算出された数値を保存する差異検出結果保存データベース３７と、差異検出結果を表示するための差異検出結果表示モジュール３８とを備えている。
【００３３】
この監視装置３０において、パノラマ画像作成モジュール３１は、パノラマ画像を作成するモジュールであって、パン／チルトカメラ１０により一度で撮影できない広範囲な領域を複数回に分割して撮影し、取得した撮影画像を貼り合わせて１枚のパノラマ画像を作成する。このパノラマ画像作成モジュール３１で作成したパノラマ画像は、パノラマ画像管理データベース３２に蓄積して管理される。
【００３４】
輝度差分計算モジュール３３は、比較する２枚のパノラマ画像を構成する画像１枚１枚の輝度の差を比較、画像撮影時の周囲の明るさを吸収する。また、この輝度差分計算モジュール３３は、比較元を同じ画像の平均輝度とすることでその画像の輝度分散を補正することもできる。
【００３５】
差異検出モジュール３４は、２枚の画像の比較範囲を差異検出設定に基づいて比較、その差異を数値として算出し、差異検出結果保存データベース３７を介して差異検出結果表示モジュール３８に出力する。
【００３６】
差異検出設定モジュール３５は、差異を検出するのに必要な閾値を設定するモジュールであって、設定項目としては、検出領域の設定、ＲＧＢ値でどの値を比較するかの設定、比較範囲を縦横何分割にするかの設定、差異を検出したとみなす閾値の設定、輝度補正を行うかどうかの設定がある。
【００３７】
差異検出設定値データベース３６は、差異検出設定モジュール３５で設定した設定値を格納するモジュールであって、差異検出モジュール３４からも差異検出時に呼び出される。
【００３８】
差異検出結果保存データベース３７は、差異検出モジュール３４で算出された数値を保存するデータベースであり、算出された数値が各検出領域生成時に作成されたユニークキーとセットで保存される。
【００３９】
そして、差異検出結果表示モジュール３８は、差異検出の判断を行い、結果を画面に表示する。
【００４０】
ここで、パノラマ画像作成モジュール３１によりパノラマ画像が作成されるまでの動作につき説明をする。
【００４１】
図３は、パン／チルトカメラ１０により、黒枠で示される撮影範囲内を撮影画角ｕで撮像する場合について示している。撮影範囲を撮影画角ｕで全て撮像するためには、撮影方向を水平方向又は垂直方向へ順にシフトさせて撮像する必要がある。仮に撮影範囲のサイズが、任意の撮影画角ｕで撮像することにより得られるフレーム（以下、単位画像という。）のサイズのｉ×ｊ倍で表せるときには、少なくともｉ×ｊ通りの撮影方向を設定する必要がある。この撮影画角ｕで撮像したｉ×ｊ個の単位画像を貼り合わせることにより撮影範囲全体を表した全体画像を合成することができる。
【００４２】
ここで、撮影範囲の各単位画像の座標（Ｍ，Ｎ）を、水平方向につき、左端から順に１、２、・・Ｍ・、ｉとし、垂直方向につき上端から順に１、２、・・Ｎ・、ｊとしたとき、監視装置３０のパノラマ画像作成モジュール３１は、パン／チルトカメラ１０のパンチルタ部１１に対して所定の駆動制御信号を送信することにより、カメラ部１２の撮影方向を、先ず左上に位置する座標（１，１）に合わせて撮像を実行させる。
【００４３】
この座標（１，１）についてカメラ部１２で撮像することにより生成された単位画像に基づく画像信号は、監視装置３０のパノラマ画像作成モジュール３１を介してパノラマ画像管理データベース３２に保存される。
【００４４】
同様にパノラマ画像作成モジュール３１は、パンチルタ部１１に対して駆動制御信号を送信することにより、カメラ部１２の撮影方向を、右側に１画枠分シフトさせて座標（２，１）に合わせて撮像を実行する。この座標（２，１）について撮像することにより生成された画像信号も同様にパノラマ画像管理データベース３２に保存される。カメラ部１２は、パノラマ画像作成モジュール３１による制御に基づき、撮影方向を座標（３，１）、（４，１）・・・（ｉ，１）と水平方向へ順次変更させて撮像を実行する。
【００４５】
カメラ部１２は、１列目の撮像を終了した後、パノラマ画像作成モジュール３１による制御に基づき、撮影方向を２列目の座標（１，２）に調整して撮像を実行し、その後、水平方向へ順次シフトさせながら撮像を実行する。かかる動作を繰り返して座標（ｉ，ｊ）まで撮像を終了させた時、パノラマ画像管理データベース３２には、座標毎に撮像したｉ×ｊ個の単位画像に基づく画像信号が記録されている状態になる。
【００４６】
ちなみに、座標（ｉ，ｊ）まで撮像を終了後、パノラマ画像作成モジュール３１は、パンチルタ部１１に対して駆動制御信号を送信することにより、カメラ部１２の撮影方向を、再び左上に位置する座標（１，１）に合わせて、次のタイミングにおける撮像を実行させる。
【００４７】
なお、単位画像の撮像の順は上述した例に限定されるものではなく、例えば、１列目の撮像を終了させた後、パノラマ画像作成モジュール３１による制御に基づき、撮影方向を２列目の座標（ｉ，２）に調整して撮像を実行し、その後、座標（１，２）へ向かって撮影方向をシフトさせるようにしてもよい。
【００４８】
このようにしてパノラマ画像管理データベース３２に蓄積された各単位画像に基づく画像信号は、図示しないモニタ用画像処理モジュールにより順次読み出されて表示画面のサイズに適合するように縮小されてモニタに表示される。また、パノラマ画像管理データベース３２に蓄積されたｉ×ｊ個の単位画像を全てモニタに表示させることにより、１枚のパノラマ画像が合成されることになる。上述の撮像動作を一定の間隔で実行することにより、撮影範囲の最新の状況を示すパノラマ画像を取得することができる。
【００４９】
次に、この監視システム１００において、差異検出を行うために実行される事前準備及び設定動作について説明する。
【００５０】
この監視システム１００において、監視装置３０は、差異検出を行うため事前準備として、図４のフローチャートに示す手順に従ってパノラマ画像を撮影する。
【００５１】
すなわち、監視装置３０のパノラマ画像作成モジュール３１は、事前準備要求があると、パノラマ画像作成のための撮影要求をパン／チルトカメラ１０に送り、比較したい２枚の画像のパノラマ撮影をパン／チルトカメラ１０により行い（ステップＳ１）、パン／チルトカメラ１０から送られてくるそれぞれｉ×ｊ個の単位画像で合成される２枚のパノラマ画像の画像情報をパノラマ画像管理データベース３２に保存する（ステップＳ２）。
【００５２】
また、 監視装置３０は、差異検出を行うために設定動作を図５のフローチャートに示す手順に従って行う。
【００５３】
すなわち、監視装置３０の差異検出設定モジュール３５は、図６に示すようにモニタ画面上で差異を検出するのに必要な差異検出範囲ＳＡ１〜ＳＡ３の設定を受け付け（ステップＳ１１）、図７に示すようにＧＵＩ画面上で、ＲＧＢ値でどの値を比較するかの設定（Target）、比較範囲を縦横何分割にするかの設定（Sensitivity for detection）、差異を検出したとみなす閾値の設定（Counts for judgment）、輝度補正を行うかどうかの設定（Light source）など、差異検出のための各種パラメータを設定の設定を受け付け（ステップＳ１２）、設定した設定値を差異検出設定値データベース３６に保存する（ステップＳ１３）。
【００５４】
そして、この監視システム１００において、監視装置３０は、図８のフローチャートに示す手順に従って差異検出を行う。
【００５５】
すなわち、この監視装置３０では、差異検出を行う場合、差異検出モジュール３４を呼び出して差異検出実行を要求する（ステップＳ２１）。この差異検出実行要求を受けた差異検出モジュール３４は、差異検出設定で設定した比較する画像情報の種類（Ｒ値、もしくはＧ値、もしくはＢ値）を差異検出設定値データベース３６から取得する（ステップＳ２２）。
【００５６】
差異検出モジュール３４は、検出する項目としてＲ値が設定されているか否かを判定し（ステップＳ２３）、その判定結果がＮＯである場合にはステップＳ２７に進み、また、判定結果がＹＥＳすなわちＲ値が設定されている場合には、輝度差分計算モジュール３３を呼び出し、輝度差分計算モジュール３３により、比較元の画像の検出領域のＲ値と比較先の画像の検出領域のＲ値をパノラマ画像管理モジュールから取得し、その差分の平均を求め（ステップＳ２４）、比較範囲全ての最小検出範囲で比較を行ったか否かを判定する（ステップＳ２５）。
【００５７】
このステップＳ２５における判定結果がＮＯである場合には、輝度差分計算モジュール３３から上記ステップＳ２４で求めた値(２枚の画像の検出領域における輝度の差)を呼び出し、同じく上記ステップＳ２４で求めた差分の平均との差異を計算して（ステップＳ２６）、上記ステップＳ２５に戻り、差異検出設定で設定した分割領域に上記ステップＳ２５とステップＳ２６の処理を繰り返し、その累積値を求める。
【００５８】
そして、ステップＳ２５における判定結果がＹＥＳすなわちＲ値について比較範囲全ての最小検出範囲で比較を行った場合には、ステップＳ２７に進む。
【００５９】
ステップＳ２７では、検出する項目としてＧ値が設定されているか否かを判定する。このステップＳ２７における判定結果がＮＯである場合にはステップＳ３１に進み、また、判定結果がＹＥＳすなわちＧ値が設定されている場合には、輝度差分計算モジュール３３を呼び出し、輝度差分計算モジュール３３により、比較元の画像の検出領域のＧ値と比較先の画像の検出領域のＧ値をパノラマ画像管理モジュールから取得し、その差分の平均を求め（ステップＳ２８）、比較範囲全ての最小検出範囲で比較を行ったか否かを判定する（ステップＳ２９）。
【００６０】
このステップＳ２９における判定結果がＮＯである場合には、輝度差分計算モジュール３３から上記ステップＳ２８で求めた値(２枚の画像の検出領域における輝度の差)を呼び出し、同じく上記ステップＳ２８で求めた差分の平均との差異を計算して（ステップＳ２３０）、上記ステップＳ２９に戻り、差異検出設定で設定した分割領域に上記ステップＳ２９とステップＳ３０の処理を繰り返し、その累積値を求める。
【００６１】
そして、ステップＳ２９における判定結果がＹＥＳすなわちＧ値について比較範囲全ての最小検出範囲で比較を行った場合には、ステップＳ３１に進む。
【００６２】
ステップＳ３１では、検出する項目としてＢ値が設定されているか否かを判定する。このステップＳ３１における判定結果がＮＯである場合にはステップＳ３５に進み、また、判定結果がＹＥＳすなわちＢ値が設定されている場合には、輝度差分計算モジュール３３を呼び出し、輝度差分計算モジュール３３により、比較元の画像の検出領域のＢ値と比較先の画像の検出領域のＢ値をパノラマ画像管理モジュールから取得し、その差分の平均を求め（ステップＳ３２）、比較範囲全ての最小検出範囲で比較を行ったか否かを判定する（ステップＳ３３）。
【００６３】
このステップＳ３３における判定結果がＮＯである場合には、輝度差分計算モジュール３３から上記ステップＳ３２で求めた値(２枚の画像の検出領域における輝度の差)を呼び出し、同じく上記ステップＳ３２で求めた差分の平均との差異を計算して（ステップＳ３４）、上記ステップＳ３３に戻り、差異検出設定で設定した分割領域に上記ステップＳ３３とステップＳ３４の処理を繰り返し、その累積値を求める。
【００６４】
そして、ステップＳ３３における判定結果がＹＥＳすなわちＲ値について比較範囲全ての最小検出範囲で比較を行った場合には、ステップＳ３５に進む。
【００６５】
ステップＳ３５では、各検出領域が保持するユニークキーとその差異検出領域位置とＲ値，Ｇ値，Ｂ値について求めた累積値をセットで差異検出結果保存データベース３７に保存する。
【００６６】
ここで、上記ステップＳ２４における輝度差分計算モジュール３３によるＲ値についての差分平均の計算は、図９のフローチャートに示す手順に従って行われる。
【００６７】
すなわち、設定領域の全ての画素のＲ値に比較が終了したか否かを判定し（ステップＳ２４１）、その判定結果がＮＯであれば、比較元の画像のＲ値を取得し（ステップＳ２４２）、次に、比較先の画像のＲ値を取得し（ステップＳ２４３）、比較元と比較先のＲ値の差分を累積して（ステップＳ２４４）、上記ステップＳ２４１に戻って、ステップＳ２４１〜ステップＳ２４４の処理を繰り返すことにより、比較元と比較先のＲ値の差分の累積値を求める。そして、上記ステップＳ２４１の判定結果がＹＥＳになったら、比較元と比較先のＲ値の差分の累積値から比較元と比較先のＲ値の差分平均を取得する（ステップＳ２４５）。
【００６８】
また、上記ステップＳ２８における輝度差分計算モジュール３３によるＧ値についての差分平均の計算は、図１０のフローチャートに示す手順に従って行われる。
【００６９】
すなわち、設定領域の全ての画素のＧ値に比較が終了したか否かを判定し（ステップＳ２８１）、その判定結果がＮＯであれば、比較元の画像のＧ値を取得し（ステップＳ２８２）、次に、比較先の画像のＧ値を取得し（ステップＳ２８３）、比較元と比較先のＧ値の差分を累積して（ステップＳ２８４）、上記ステップＳ２８１に戻って、ステップＳ２８１〜ステップＳ２８４の処理を繰り返すことにより、比較元と比較先のＧ値の差分の累積値を求める。そして、上記ステップＳ２８１の判定結果がＹＥＳになったら、比較元と比較先のＧ値の差分の累積値から比較元と比較先のＧ値の差分平均を取得する（ステップＳ２８５）。
【００７０】
さらに、上記ステップＳ３２における輝度差分計算モジュール３３によるＢ値についての差分平均の計算は、図１１のフローチャートに示す手順に従って行われる。
【００７１】
すなわち、設定領域の全ての画素のＢ値に比較が終了したか否かを判定し（ステップＳ３２１）、その判定結果がＮＯであれば、比較元の画像のＢ値を取得し（ステップＳ３２２）、次に、比較先の画像のＢ値を取得し（ステップＳ３２３）、比較元と比較先のＢ値の差分を累積して（ステップＳ３２４）、上記ステップＳ３２１に戻って、ステップＳ３２１〜ステップＳ３２４の処理を繰り返すことにより、比較元と比較先のＢ値の差分の累積値を求める。そして、上記ステップＳ３２１の判定結果がＹＥＳになったら、比較元と比較先のＢ値の差分の累積値から比較元と比較先のＢ値の差分平均を取得する（ステップＳ３２５）。
【００７２】
また、上記ステップＳ２６、ステップＳ３０及びステップＳ３４における差分計算は、図１２のフローチャートに示す手順に従って行われる。
【００７３】
すなわち、差分計算では、先ず、Ｒ値の計算であるか否かを判定し（ステップＳ２６１）、その判定結果がＹＥＳすなわちＲ値の計算である場合には、最小差異検出範囲における比較元のＲ値と比較先のＲ値の差分平均を取得し（ステップＳ２６２）、取得したＲ値の差分平均と輝度差分計算モジュール３３で求めたＲ値の差分平均との差分を累積する（ステップＳ２６３）。
【００７４】
また、上記ステップＳ２６１の判定結果がＮＯである場合には、Ｇ値の計算であるか否かを判定し（ステップＳ３０１）、その判定結果がＹＥＳすなわちＧ値の計算である場合には、最小差異検出範囲における比較元のＧ値と比較先のＧ値の差分平均を取得し（ステップＳ３０２）、取得したＧ値の差分平均と輝度差分計算モジュール３３で求めたＧ値の差分平均との差分を累積する（ステップＳ３０３）。
【００７５】
さらに、上記ステップＳ３０１の判定結果がＮＯである場合には、Ｂ値の計算であるか否かを判定し（ステップＳ３４１）、その判定結果がＹＥＳすなわちＢ値の計算である場合には、最小差異検出範囲における比較元のＢ値と比較先のＧ値の差分平均を取得し（ステップＳ３４２）、取得したＢ値の差分平均と輝度差分計算モジュール３３で求めたＢ値の差分平均との差分を累積する（ステップＳ３４３）。
【００７６】
また、この監視システム１００において、監視装置３０は、図１３のフローチャートに示す手順に従って差異検出結果を元に差異検出結果を画面に表示する。
【００７７】
すなわち、監視装置３０は、差異検出結果を画面に表示する場合、差異検出結果表示モジュール３８を読み出して差異検出結果の表示を要求する（ステップＳ４１）。
【００７８】
差異検出結果表示要求を受け付けた差異検出結果表示モジュール３８は、差異検出結果保存データベース３７に格納されている各領域の算出された差異累積値を取得し（ステップＳ４２）、さらに、差異検出設定値データベース３６に保存されている閾値を取得する（ステップＳ４３）。
【００７９】
そして、差異検出結果表示モジュール３８は、ステップＳ４２で取得した差異累積値とステップＳ４３で取得した閾値を比較し（ステップＳ４４）、差異累積値が閾値以上であれば差異を検出したとみなし（ステップＳ４５）、また、差異累積値が閾値以上で無ければ差異無しとみなし（ステップＳ４６）、差異検出結果保存データベース３７からそのユニークキーと位置情報を取得して、検出を画面に表示する（ステップＳ４７）。
【００８０】
さらに、この監視システム１００において、監視装置３０は、図１４のフローチャートに示す手順に従って輝度の差異を補正したパノラマ画像を表示する。
【００８１】
すなわち、輝度の差異を補正したパノラマ画像を表示する場合、輝度差分計算モジュール３３は、補正を行いたいパノラマ画像において、そのパノラマ画像の撮影が完了した時点でパノラマ画像全体のＲ値、Ｇ値、Ｂ値、それぞれの平均値を計算する（ステップＳ５１〜Ｓ５３）。
【００８２】
次に、パノラマ画像を構成する全ての画像について処理したか否かを判定する（ステップＳ５４）。
【００８３】
このステップＳ５４における判定結果がＮＯである場合には、パノラマ画像を構成する１枚１枚の画像のＲ値、Ｇ値、Ｂ値のそれぞれの平均値をそれぞれの画像で求めて、パノラマ画像全体のＲ値、Ｇ値、Ｂ値、それぞれの平均値との差分を求め（ステップＳ５５〜Ｓ５７）、画像の全ての画素について処理したか否かを判定する（ステップＳ５８）。
【００８４】
このステップＳ５８における判定結果がＮＯである場合には、パノラマ画像を構成する１枚１枚の画像において、各画素のＲ値、Ｇ値、Ｂ値からステップステップＳ５５〜Ｓ５７で算出した差分値を引いて（ステップＳ５９〜Ｓ６１）、上記ステップＳ５８に戻り、上記ステップＳ５８〜Ｓ６１の処理を繰り返し行う。
【００８５】
上記ステップＳ５８における判定結果がＹＥＳすなわち画像の全ての画素について処理を行ったら、上記ステップＳ５４に戻り、上記ステップＳ５４〜Ｓ６１の処理を繰り返し行う。
【００８６】
そして、上記ステップＳ５４における判定結果がＹＥＳすなわちパノラマ画像を構成する全ての画像について処理を行ったら、結果を元にパノラマ画像を表示する（ステップＳ６２）。
【００８７】
このような構成の監視システム１００における監視装置３０では、パン／チルトカメラ１０を用いて撮影した画像からパノラマ画像を合成する際に、映画館や劇場などそのパノラマ画像を構成する１枚１枚が撮影場所の周辺の輝度変化の影響を受ける場合であっても、例えば図１５の（Ａ），（Ｂ）に示すように撮影時間の違う２枚の画像の輝度の違いを考慮して画像比較をすることができる。また、差異検出領域の縦横分割数と検出閾値を変更できるので、検出領域、検出物の大きさに応じて設定を変更し、より自由度の高い差異検出のための設定を行うことができる。そして、各ドットにおける比較ではなく、一定領域の平均を比較しているため、ノイズが多く発生する暗闇での撮影などでも差異検出を正確に行うことができる。図１５の（Ａ），（Ｂ）に示す例では、差異検出領域ＳＡ１〜ＳＡ６のうちの差異検出領域ＳＡ４及び差異検出領域ＳＡ５において差異が検出されている。
さらに、パノラマ画像を構成する１枚１枚の画像の輝度を調整することによって、輝度変化の影響を目立たないように補正することができ、例えば図１６の（Ａ）に示すようにパン／チルトカメラ１０を用いて撮影した画像をそのまま用いて合成したパノラマ画像では単位画像間の輝度変化が目立つが、図１６の（Ｂ）に示すように単位画像間の輝度変化が少ない極めて自然なパノラマ画像を生成することができる。
【００８８】
また、本発明を適用した監視システム１００では、上述した単位画像間における輝度レベルの比較をＲ,Ｇ,Ｂの原色成分毎に実行してもよい。この輝度レベルの比較は、上述の如く、同一座標（Ｍ，Ｎ）にある単位画像間で、換言すれば同一撮影方向にある単位画像間で実行する。これにより、基準全体画像に対する比較全体画像の各原色成分における輝度レベルの変化を、換言すれば、各原色成分における輝度レベルの差分値を撮影方向毎に検出することができる。
【００８９】
更に本発明は、上述した監視システム１００として実施する場合のみならず、例えば、監視装置２０の機能を全てカメラ側に搭載するようにしてもよい。さらに、上述した処理をコンピュータに実行させるための制御プログラムや、かかる制御プログラムが記録された記録媒体に適用してもよいことは勿論である。
【図面の簡単な説明】
【００９０】
【図１】本発明を適用した監視システムの構成を示す図である。
【図２】上記監視システムを構成するパン／チルトカメラ及び監視装置の構成を示すブロック図である。
【図３】パン／チルトカメラにより、黒枠で示される撮影範囲内を撮影画角ｕで撮像する場合について説明するための図である。
【図４】上記監視システムにおける差異検出を行うため事前準備として実行されるパノラマ画像の撮影手順を示すフローチャートである。
【図５】上記監視システムにおいて、差異検出を行うために実行される設定動作の手順を示すフローチャートである。
【図６】上記監視装置において、差異を検出するのに必要な差異検出範囲の設定を差異検出設定モジュールが受け付けるモニタ画面を模式的に示す図である。
【図７】上記監視装置において、差異を検出するのに必要な各種設定項目を差異検出設定モジュールが受け付けるＧＵＩ画面を模式的に示す図である。
【図８】上記監視システムにおいて、監視装置３０により実行される差異検出の手順を示すフローチャートである。
【図９】上記監視システムにおいて、輝度差分計算モジュールにより実行されるＲ値についての差分平均の計算手順を示すフローチャートである。
【図１０】上記輝度差分計算モジュールにより実行されるＧ値についての差分平均の計算手順を示すフローチャートである。
【図１１】上記輝度差分計算モジュールにより実行されるＢ値についての差分平均の計算手順を示すフローチャートである。
【図１２】上記監視システムにおいて、輝度差分計算モジュールにより実行される差分計算の手順を示すフローチャートである。
【図１３】上記監視装置により実行される差異検出結果を元に差異検出結果を画面に表示する手順を示すフローチャートである。
【図１４】上記監視装置において、輝度差分計算モジュールにより実行される輝度の差異を補正したパノラマ画像を表示するための手順を示すフローチャートである。
【図１５】上記監視装置により、パン／チルトカメラを用いて撮影した画像からパノラマ画像を合成する際に、映画館や劇場などそのパノラマ画像を構成する１枚１枚が撮影場所の周辺の輝度変化の影響を受ける場合に、撮影時間の違う２枚の画像の輝度の違いを考慮した画像比較の様子を模式的に示す図である。
【図１６】上記監視装置により、パノラマ画像を構成する１枚１枚の画像の輝度を調整することによって、輝度変化の影響を目立たないように補正したパノラマ画像を模式的に示す図である。
【図１７】パノラマ状の全体画像を構成する単位画像の例につき説明するための図である。
【符号の説明】
【００９１】
１０  パン／チルトカメラ、１１  パンチルタ部、１２  カメラ部、１３  方位センサ、１４  レンズ部、１５  レンズ制御部、１６  撮像部、２０  ネットワーク、３０  監視装置、３１  パノラマ画像作成モジュール、３２  パノラマ画像管理データベース、３３  輝度差分計算モジュール、３４  差異検出モジュール、３５  差異検出設定モジュール、３６  差異検出設定値データベース、３７  差異検出結果保存データベース、３８  差異検出結果表示モジュール、１００  監視システム
【図１】
2005277582.tif 000003
【図２】
2005277582.tif 000004
【図３】
2005277582.tif 000005
【図４】
2005277582.tif 000006
【図５】
2005277582.tif 000007
【図６】
2005277582.tif 000008
【図７】
2005277582.tif 000009
【図８】
2005277582.tif 000010
【図９】
2005277582.tif 000011
【図１０】
2005277582.tif 000012
【図１１】
2005277582.tif 000013
【図１２】
2005277582.tif 000014
【図１３】
2005277582.tif 000015
【図１４】
2005277582.tif 000016
【図１５】
2005277582.tif 000017
【図１６】
2005277582.tif 000018
【図１７】
2005277582.tif 000019